Podtech/llm-jp-corpus-v4-ja_patent huggingface dataset:
(57)【要約】【課題】本発明は切り傷や裂け目に使用するテープである。通常は傷口を接着させ固定するにはテープの強度が不足したり、ふやけたり、かぶれたりしやすい。また、傷口の長さに合わせテープを一枚ずつ使用しなければならない。強度を増し、ふやけたりかぶれたりしにくく傷口の長さ幅に合わせて調節できるテープを提供する。【解決手段】テープの中央にねじりを入れる。テープの縁部に切り欠き部を複数設ける。切り欠き部はミシン目または型押し溝で離脱できるように設ける。【選択図】図１
2010088854.tif 000002
【特許請求の範囲】
【請求項１】
ねじりを入れた部分を持ち、長さや幅を調節できる切り欠き部を複数設けたテープ。
【請求項２】
切り欠き部がミシン目により離脱可能に設けられている請求項１の長さや幅が調節できるねじりを入れた部分を持つテープ。
【請求項３】
切り欠き部が型押し溝により離脱可能に設けられている請求項１の長さや幅が調節できるねじりを入れた部分を持つテープ。
【発明の詳細な説明】
【技術分野】
【０００１】本発明は切れた部分を保護し接着するためのテープに関するものである
【背景技術】
【０００２】従来、切り傷や打撲後傷口が開いてしまった時は絆創膏を貼ったり、ガーゼで覆う処置がなされることが多い。
【発明の開示】
【発明が解決しようとする課題】
【０００３】絆創膏やガーゼを切り傷に使用する時、次のような問題点があった。傷口を縫い合わせるように傷口を合わせ閉じることが難しい。滲出液などにより接着力が低下しはがれやすい。通気性が悪いため皮膚がふやけやすい。また傷口との接触面が大きいためかぶれの範囲も広くなってしまう。本発明は以上の問題点を解決し傷口をより強く接着し治癒を早めかぶれを軽減するようなされたものである。
【課題を解決するための手段】
【０００４】テープの中央にねじりを入れる。テープの縁部に切り欠き部を複数設ける。切り欠き部はミシン目または型押し溝で離脱自由に設ける。本発明は以上の構成よりなるねじりを入れた部分をもち長さ幅を調節できるテープである。
【発明の効果】
【０００５】テープ中央にねじりを入れることにより強度が増し、細い部分ができるため皮膚との接触面が少なくなりかぶれにくくなる。また、通気性が増し、皮膚をふやけにくくする。傷口を針で縫合しなくても接着させることができる。
【発明を実施するための最良の形態】
【０００６】以下、本発明の実施の形態を説明する。
（イ）テープ生地（１）にねじり（２）を入れた部分を設ける。
（ロ）テープ生地（１）に縁部（３）を設ける。
（ハ）縁部（３）に切り欠き部（４）を設ける。
（ニ）切り欠き部（４）はミシン目（５）または型押し溝（６）で離脱できるように設        ける。
本発明は以上の構成よりなる。
本発明を使用する場合は使用の一回毎に切り欠き部（４）を１ずつまたは数個ずつ指    でちぎって取る。このとき、ミシン目（５）や型押し溝（６）で切り欠き部（４）を    切り取りやすくしている。
【図面の簡単な説明】
【０００７】
【図１】本発明の正面図
【符号の説明】
【０００８】（１）テープ生地
（２）ねじり部
（３）縁部
（４）切り欠き部
（５）ミシン目
（６）型押し溝
【図１】
2010088854.tif 000003
(57)【要約】【課題】台ふきんは、調理台の上で使用する頻度が高いため常に調理台の上に載せて置くことが多くなっている。食器を拭くふきん掛けとは別に、調理台を拭く台ふきん掛けを設けることができるが、調理台から少し離れて設置していると使い勝手が悪い。狭い台所では専用に台ふきん掛けを設置できない。【解決手段】濡れた台ふきん（２）を載せる台として、波型をうった波板台（１）からなっており、濡れた台ふきんを波型をうった波板台に載せると、波型の部分に空気の流入があるため、調理台に台ふきんを置いておくよりもはるかに早く乾かすことができる。【選択図】図１
2010088837.tif 000002
【特許請求の範囲】
【請求項１】
濡れた台ふきん（２）を載せる台として、複数の波型をうった波板台（１）を特徴とする台ふきん波板置き台。
【請求項２】
濡れた台ふきん（２）を載せる台として、複数の波型をうった波板台（１）に、穴（４）を複数設けていることを特徴とする台ふきん波板置き台。
【請求項３】
濡れた台ふきん（２）を載せる台として、複数の波型をうった波板台（１）が、格子（５）になっていることを特徴とする台ふきん波板置き台。
【発明の詳細な説明】
【技術分野】
【０００１】  本発明は、濡れた台ふきんを乾かすための置き台に関するものである。
【背景技術】
【０００２】濡れた台ふきんを乾かすものとしてふきん掛けを併用して乾かすことができる（特許文献１）。そのほか台ふきん掛けがない場合は調理台へ置いて乾かす方法や食器水切りバスケットの側面上部に掛けて乾かしているなとしている。
【特許文献１】登録実用新案第３０２２３５８公報
【発明の開示】
【発明が解決しようとする課題】
【０００３】家庭で料理を作るときは、調理台を利用して料理を作ることから調理台が頻繁に汚れるため、台ふきんは常に調理台の上に置いて使用している。そのため使用しないときも常時調理台の上に置いている。食器を拭くふきん掛けとは別に、調理台を拭く台ふきん掛けを設けているところもあるが、台ふきん掛けを調理台から少し離れて設置していると使い勝手が悪い。狭い台所では専用に台ふきん掛けを設置できない。
【課題を解決するための手段】
【０００４】よって本発明は、この従来の不満点を解消し要求に応えるべく発明された台ふきん波板置き台であって、簡単な構造でありながら手軽に台ふきんを乾かせることを目的としてする。
【発明の効果】
【０００５】専用の台ふきん掛けを設置する必要がない。台ふきん波板置き台は、調理台の上に載せて使用することができるので使用するところと保管するところが同じであることから使い勝手が良い。邪魔になればまな板の脇に一緒に立てかけておくこともできるほか狭い隙間があればそこに入れておくこともできる。
【発明を実施するための最良の形態】
【０００６】本発明の構造は、図２では濡れた台ふきんを載せる台として、複数の波型をうった波板台として構成されている。図４では波板台に複数の穴を設けている波板台として構成されている。図５では波板台が格子状になっている波板台として構成されている。実施するための最良の形態は、台ふきん波板置き台の大きさは台ふきんよりも多少大きめにし、波の振幅は空気の流入ができる１センチ程度でよく、波の間隔は２〜３センチ程度でよい。これを使用するには、本発明の台ふきん波板置き台を調理台の上に置いておき、濡れた台ふきんを台ふきん波板置き台の上に載せて使用するだけである。台ふきん波板置き台が邪魔なときは、まな板の脇に一緒に立てかけておくか、狭い隙間があればそこに入れて保管する。
【実施例】
【０００７】発明の実施の形態を実施例にもとづき図面を参照して説明する。図１は、本発明の使用状態の説明図である。調理台の上に本発明品を置き、その上に台ふきんを載せて乾かしている。図２は、台ふきんを載せていないものである。図３は、使用しないとき本発明品を立てている状態である。【０００８】図４は、他の実施例を示すもので、波板に複数の穴をあけて風通しの良い状態にして乾燥させるものである。【０００９】図５は、他の実施例を示すもので、波板を格子状にすることでさらに風通しの良い状態にして乾燥させるものである。
【図面の簡単な説明】
【０００１０】
【図１】本発明の使用状態の斜視図である。
【図２】本発明の斜視図である。
【図３】本発明の立てた状態の斜視図である。
【図４】他の実施例を示す斜視図である。
【図５】他の実施例を示す斜視図である。
【符号の説明】
【０００１１】１  波板台
２  台ふきん
３  立て具
４  穴
５  格子
【図１】
2010088837.tif 000003
【図２】
2010088837.tif 000004
【図３】
2010088837.tif 000005
【図４】
2010088837.tif 000006
【図５】
2010088837.tif 000007
(57)【要約】【課題】  本発明は、バスタオルの一部に帯状の布地を設け、布地に目盛をほどこした帯状のメジャーを付けたメジャー付バスタオルを提供する。【解決手段】  バスタオル（１）の一部に帯状の布地（２）を設け、布地（２）に目盛（３）を設けたことを特徴としたメジャー付バスタオル。【選択図】図１
2010088835.tif 000002
【特許請求の範囲】
【請求項１】
バスタオル（１）の一部に帯状の布地（２）を設け、布地（２）に目盛（３）を設けたことを特徴としたメジャー付バスタオル。
【発明の詳細な説明】
【技術分野】
【０００１】  本発明は、バスタオルの一部に帯状の布地を設け、布地に目盛をほどこした帯状のメジャーを付けたメジャー付バスタオルに関するものである。
【背景技術】
【０００２】  従来、バスタオルとメジャーを組み合わせたものは、乳幼児の成長、ペットなどの大きさを計測するものがあった。
乳幼児、ペットは、動くこともあるのでメジャーを体に当てることが難しかった。
そこで、タオルの図柄として目盛りとなる線、色分けによる線と数字を設け、メジャーとして使用できることを特徴とするメジャーおよびデータ付きタオル実用文献１参照）。
バスタオル、スポーツタオルの長手方向の縁に一定の長さの目安となる印と色調の変化を設けた、腹囲チェック用目安目盛付タオルがある（実用文献２参照）。
【実用文献１】
登録実用新案第３１０００６３号
【実用文献１】
登録実用新案第３１３１１５７号
【発明の開示】
【発明が解決しようとする課題】
【０００３】  そのため、次のような問題点があった。
従来、風呂上がりに腹囲、腰囲、胸囲を測ろうとしても風呂の脱衣所にメジャーが置いてなく困ることがあった。
本発明は以上の問題点を解決しようとするものである。
【課題を解決するための手段】
【０００４】  バスタオル（１）の一部に帯状の布地（２）を設ける。
布地（２）に目盛をほどこした帯状のメジャー（３）を設ける。
以上を特徴とするメジャー付バスタオルである。
【発明の効果】
【０００５】  本発明は、バスタオルとメジャーが一体となっているので、風呂上がりに脱衣所で容易に、腹囲・腰囲・胸囲等を測ることができ、メタボリックシンドロームの予防にもなる。
【発明を実施するための最良の形態】
【０００６】  以下、本発明の実施の形態について説明する。
バスタオル（１）の一部に帯状の布地（２）を設ける。
布地（２）に目盛をほどこした帯状のメジャー（３）を設ける。
たとえば、メジャー（２）をバスタオル（１）にミシンで縫って固定する。
以上を特徴とするメジャー付バスタオルである。
次に、使い方を説明する。
一体になったメジャー付バスタオルで測りたい所を測れば良い。
【図面の簡単な説明】
【０００７】
【図１】  本発明の分解斜視図である。
【図２】  本発明の斜視図である。
【符号の説明】
【０００８】    １  バスタオル
２  布地
３  メジャー
【図１】
2010088835.tif 000003
【図２】
2010088835.tif 000004
(57)【要約】【課題】  窓上部の隙間を利用し洗濯物を干す又は引っかける多目的ハンガーを提供する。【解決手段】  建具の窓を窓枠にはめる為に設けられている窓上部の隙間に、本発明品のハンガーの端に設けた凸凹を、窓枠に引っ掛け、洗濯物を干す又は引っかける事を特徴とする多目的ハンガー。【選択図】図１
2010088838.tif 000002
【特許請求の範囲】
【請求項１】
建具の窓を窓枠にはめる為に設けられている窓上部の隙間に、本発明品のハンガーの端に設けた凸凹を、窓枠に引っ掛け、洗濯物を干す又は引っかける事を特徴とする多目的ハンガー。
【発明の詳細な説明】
【技術分野】
【０００１】  本発明は、窓上部の隙間を利用し、洗濯物を干す又は引っかける多目的ハンガーに関するものである。
【背景技術】
【０００２】  従来、梅雨時期の雨の日など室内の窓やドア・ドア枠に洗濯物を干していた。これに対し窓やドア・ドア枠などに設置するタイプの干し具が数多く知られている。
【発明の開示】
【発明が解決しようとする課題】
【０００３】    そのために、次のような問題点があった。
（イ）ドア・ドア枠に洗濯物をかけると、生活動線の妨げとなり不便でり、なお且つ落下しやすい。
（ロ）ドアを開閉するのに不便である。
（ハ）枠などに、釘や爪が掛かるため、傷がつきやすい。
（ニ）着けたり外したりするのが面倒である。
本発明品は以上の問題点を解決しようとしたものである。
【課題を解決するための手段】
【０００４】    建具の窓を窓枠にはめる為に設けられている窓上部の隙間に、本発明品のハンガーの端に設けた凸凹を、窓枠に引っ掛け、洗濯物を干す又は引っかける事を特徴とする多目的ハンガーである。
【発明の効果】
【０００５】  本発明は、ネジなどを使用しないので傷をつけることなく使用でき、取り外しも容易である。窓の隙間部分を利用するので、外れたり落ちたりせず、非常に安定性が高い。なお且つ、普段はハンガーとして使用もできる為、使用のない時も、他のハンガーと一緒に収納できる
【発明を実施するための最良の形態】
【０００６】  以下、本発明の実施の形態を説明する。
（イ）ハンガーの端に凸凹（１）を設ける。
（ロ）ハンガー中心部よりやや下部の突起（２）に半径型のパーツ（３）を下から差し込む。
（ハ）ハンガーのほぼ中央部に穴（７）を設ける。
本発明は、以上の構成よりなっている。
本発明を使用するときは、窓（４）を開け上部の隙間（５）に上記の多目的ハンガーの凸凹の部分（１）を横からスライドさせながらはめ込む。
次に半円形のパーツ（３）を９０度回転させ安定性を出す。
フック（６）に洗濯物を干す。
本発明品を複数個用いて、ハンガーの穴（７）に棒を通すことにより、より多くの洗濯物を干す又は掛けることができる。
当然のことながらハンガーとしても使用できる。
尚、半円形のパーツ（３）は、３６０度回転することができる。
【図面の簡単な説明】
【０００７】
【図１】本発明の分解図
【図２】本発明の斜視図
【図３】本発明の使用状態を示す斜視図
【図４】実施状態の断面図
【符号の説明】
【０００８】      １  凸凹
２  突起
３  半円形のパーツ
４  窓
５  窓上部の隙間
６  フック
７  穴
８  ガラス
【図１】
2010088838.tif 000003
【図２】
2010088838.tif 000004
【図３】
2010088838.tif 000005
【図４】
2010088838.tif 000006
(57)【要約】【課題】本発明は、複数の用具を使うことなく、本発明単体で、もみ洗い、つけ置き洗い、こすり洗いなど、様々な洗濯方法を行うことが可能になり、効果的に汚れを落とすことが出来る洗濯用具を提供すること。【解決手段】シリコンまたはゴム、ビニールのような水を通さない素材で作られた袋体（１）は、内部に凹凸またはブラシ状の突起（２）を有している。当該袋体の中に洗濯物を入れてもんだり、こすったりすることで、洗濯物（３）と内部の突起部分（２）が絡み合い、効果的に汚れを落とすことが出来る。また、当該袋体の中に洗濯水（６）と洗濯物（３）を入れてつけ置き洗いをすることも出来る。【選択図】図４
2010088840.tif 000002
【特許請求の範囲】
【請求項１】
例えば、シリコンまたはゴム、ビニールのような水を通さない素材で作られた袋状のもので、当該袋状内側部分の少なくとも一部が凹凸状、またはブラシ状のような突起を有する洗濯補助具
【請求項２】
当該袋状になっているシリコンまたはゴム、ビニールなどの外側の一部分に滑り止め機能（例えば、吸盤）などがついている洗濯補助具
【発明の詳細な説明】
【技術分野】
【０００１】本発明は、より効果的に洗濯物の汚れを落とすために考えられた、洗濯用具に関するものである。
【背景技術】
【０００２】従来、洗濯といえば洗濯機を使うことが多いが、それでも落ちにくいような汚れがひどい部分は、その部分をもみ洗い、つけ置き洗い、または洗濯板を使うなどの方法がある。
【発明の開示】
【発明が解決しようとする課題】
【０００３】しかしながら、上記従来の方法では、例えば洗濯板とつけ置き洗いのためのバケツや洗面器などの複数の用具が必要であった。もし洗面台に水をためてつけ置き洗いをするにしても、その間、洗面台を使えないという問題もあった。また、洗濯板使用時に、洗濯物と一緒に手をこすりつけてしまい怪我をすることもあった。【０００４】そこで、この発明の目的は、上記課題を単体で解決できる洗濯用具を提供することにある。
【課題を解決するための手段】
【０００５】上記目的を達成するため、請求項１に記載の洗濯用具は、シリコンまたはゴム、ビニールのような水を通さない素材で作られた袋の内部に凹凸状、またはブラシ状のような突起をつけることで、当該袋に洗濯物を入れ、袋の上からもみ洗いをすることで洗濯板を使って洗うような効果を得ることができる。【０００６】また、水を通さない素材であることから、洗濯物と洗剤水を一緒に入れて、つけ置き洗いも可能である。【０００７】請求項２によれば、請求項１に記載の洗濯用具を例えば洗面台に吸盤でくっつけることにより、当該袋状の洗濯用具の上から洗面台に押し付け洗うことで、こすり洗いをすることもできる。
【発明を実施するための最良の形態】
【０００８】図面を使って、本発明を実施するための最良の形態を説明する。
図１は、当該洗濯用具の斜視図、図２と図３は当該洗濯用具の素材の断面図の一例である。【０００９】図４は、当該洗濯用具に洗濯物を入れたところをわかりやすく示したところである。このように、洗濯物を当該洗濯用具に入れて、袋の上からもみ洗うことが出来る。【００１０】また、図５のように洗面台に例えば請求項２に記載のような例えば吸盤を使い、当該洗濯用具をくっつけることで、当該洗濯用具の上から手の親指の腹部分で押し付けながら滑らすことで、当該洗濯用具そのものが洗面台から滑ってしまうことなく、こすり洗いをすることが可能である。【００１１】また、図６のように、当該洗濯用具の中に洗剤水と洗濯物を一緒に入れることで、つけ置き洗いをすることも出来る。
【発明の効果】
【００１２】以上のように、この発明によれば、当該洗濯用具単体で、もみ洗い、こすり洗い、つけ置き洗いなど、様々な洗濯方法を行うことが出来、洗濯機で落ちにくかった汚れを効果的に落とすことが可能になる。
【図面の簡単な説明】
【００１３】
【図１】この発明の一実施例の洗濯用具を示す図である。
【図２】この発明の、素材の断面図である。
【図３】この発明の、素材の断面図である。
【図４】この発明の、一使用例を洗わす図である。
【図５】この発明の、一使用例を洗わす図である。
【図６】この発明の、一使用例を洗わす図である。
【符号の説明】
【００１４】        １  洗濯用具
２  突起部分
３  洗濯物
４  洗面台の一部
５  吸盤
６  洗剤水
【図１】
2010088840.tif 000003
【図２】
2010088840.tif 000004
【図３】
2010088840.tif 000005
【図４】
2010088840.tif 000006
【図５】
2010088840.tif 000007
【図６】
2010088840.tif 000008
(57)【要約】【課題】立体動画を見るには、偏光板を利用するもの  赤青色メガネを利用するもの  多レンズ板を利用するもの  などがあるが、もっと手軽に両眼で見た２画面が簡単に立体テレビで見られるとよい。【解決手段】２台のビデオカメラを１台に合体させ、２眼のレンズで、人間の両眼のように、２方向から同時撮影をすることができる  ２眼立体ビデオカメラ  を作った。この２眼立体ビデオカメラで録画したものを、左右２画面の液晶パネルデスプレ−に並べて映し出し、この２画面をプリズムでそれぞれ屈折させ  １画面に重ねて見ることによって  立体ビデオを見られるようにした。また、下に示したように、多人数が同時鑑賞できるようにした。被写体  →２眼立体ビデオカメラ（２画面撮影録画）                      →２面液晶デスプレ−（立体鏡）  →  両眼→２画面録画再生装置  →２面液晶デスプレ−（立体鏡）  →  両眼                      →２面液晶デスプレ−（立体鏡）  →  両眼                                          多人数同時鑑賞可【選択図】図６
2010088091.tif 000002
【特許請求の範囲】
【請求項１】
「２眼立体ビデオカメラ」
２台のビデオカメラを１台に合体させ、２方向（間隔は人の両眼距離約７ｃｍ）から同時撮影できる装置。
カメラのピントや露出、撮影スタ−トボタン、録画装置などは、２眼のレンズに同時同調（連動）させ、左右２画面並べて１本のテ−プに同時録画する。
２眼のレンズは撮影距離に応じて、それぞれ内側に角度が変えられるようにし、左右液晶モニタ−は、それぞれ十文字線を入れて、並べて配置する。
【請求項２】
「２画面プリズム立体鏡」
三角柱プリズムを左右のメガネわく（箱をくりぬく）に取り付け、前方の左右２画面から来た光を、それぞれプリズムで屈折させ、１画面に重ねて見ることによって、立体画像をつくる装置。
すなわち、左右２画面が中央に１画面だけ見えるようにして、立体画像を見る。
【発明の詳細な説明】
【技術分野】
【０００１】１台のビデオカメラで、同時に２方向（間隔は人の両眼距離約７ｃｍ）から撮影できる２眼立体ビデオカメラを考案した。このとき、被写体の撮影目標視点は、左右両画面の同じ位置にあること。このため、左右の液晶モニタ−は十文字線を入れて並べて配置した。図１に示したカメラで、遠距離撮影か近距離撮影かに応じてレンズの開く角度を調節し、モニタ−で撮影視点が左右両画面の同じ位置（十文字線上）に来るようにして撮影する。（近距離撮影の場合、レンズの開く角度は、互いに内を向く方向になる）
この２眼立体ビデオカメラで撮影した左右２画面を液晶パネルデスプレイ（可能ならば有機ＥＬパネルデスプレイ）に映し出し、これをそれぞれのプリズムの屈折により、２画面を１画面に重ねて見ることによって、立体ビデオ画像が見られる。ここで使われるプリズムやパネルデスプレイは、箱の中にセットされいて、
「２画面プリズム立体鏡」とした。
【背景技術】
【０００２】２画面プリズム立体鏡に取り付ける三角柱プリズムは、三角形部の角度が１５°７５°９０°で７５°の対辺が５、０ｃｍ柱の長さ５、０ｃｍ（図５参照）のものを、透明プラスチック板（コンビニ弁当の蓋を利用）で形枠を作り、ゼラチン（菓子の材料）を入れて試作した。
この三角柱プリズムでは、プリズムから前方２画面までの距離２０ｃｍ、プリズムから眼までの距離７ｃｍで実験をした。
ガラスまたはプラスチック製の適応した三角柱プリズムが入手できるとよい。
【注意事項】
【０００３】三角柱プリズムは、三角形部の角度、素材によって屈折の大きさが異なるからプリズムから前方２画面までの距離Ａやプリズムから眼までの距離Ｂを調整し、適正な画像が見られるようにする。
また、眼の位置は固定されるので、双眼鏡式にのぞき穴式にする。
【０００４】
【特許文献】２眼立体デジタルカメラ（出願番号  特願２００５−３５１１９３  出願日  平成１７年１１月８日  出願人  佐野  健一）
【発明の効果】
【０００５】（イ）ペット動物や野生動物やスポ−ツ選手の一瞬の貴重なポ−ズを立体ビデオとして撮影し、見ることができる。
（ロ）絵ハガキなどに見る雄大な風景、絶景を立体ビデオとして撮影し、鑑賞することができる。
（ハ）親の死後、生前にこのカメラで撮影してあれば、親の姿を立体画像で見ることができる。
（ニ）新型モデル車、ニュ−デザイン商品、ファッションドレス、流行ヘァ−スタイル、建築関連商品、などを立体ビデオで提供できる。
（ホ）動物の世界、植物の世界、大自然の世界、国内旅行、海外旅行、などのビデオ作品がこの２眼立体ビデオカメラで撮影した商品として出現してくるかもしれない。
【実施例１】
【０００６】図４で、２画面液晶パネルに代えて、立体写真プリントの参考例を添付した。
本発明の「立体ビデオボックス」では、このプリントが液晶デスプレイになって、立体動画を見る。
【図面の簡単な説明】
【０００７】
【図１】  ２眼立体ビデオカメラ（上面図）
【図２】  ２眼立体ビデオカメラ（前面図）
【図３】  ２眼立体ビデオカメラ（後面図）
【図４】  ２画面立体写真プリント（参考）
【図５】  三角柱プリズムとプリズム枠
【図６】  ２画面プリズム立体鏡とその原理
【符号の説明】
【０００８】  １  ビデオカメラ本体
２  左眼レンズ
３  右眼レンズ
４  電源スイッチ
５  撮影スタ−トボタン
６  撮影ストップボタン
７  各種メニュ−ボタン
８  左眼液晶モニタ−（十文字線入り）
９  右眼液晶モニタ−（十文字線入り）
１０  レンズ角度可動チョウツガイ
１１  三角柱プリズム
１２  プリズム取り付け枠
１３  左パネルデスプレ−
１４  右パネルデスプレ−
【図１】
2010088091.tif 000003
【図２】
2010088091.tif 000004
【図３】
2010088091.tif 000005
【図４】
2010088091.tif 000006
【図５】
2010088091.tif 000007
【図６】
2010088091.tif 000008
(57)【要約】【課題】  従来のハンズフリー受話器は、イヤホンを接続しなければならず、一体になっていなかったため使いにくかった。【解決手段】  無線、設置電話の受話器、トランシーバー、携帯電話等の通信機器の受話器本体に直接イヤホン、耳挿入口を設けることにより、受信した時にすばやく耳にかけすぐに両手が使え、メモなどをとることができ、トランシーバー、携帯電話などでは歩きながらでもメモをとることができるようにした。【選択図】図１
2010088090.tif 000002
【特許請求の範囲】
【請求項１】
無線、設置電話の受話器、トランシーバー、携帯電話等の通信機器の受話器のの受話口に設けたイヤホン付き受話器。
【請求項２】
無線、設置電話の受話器、トランシーバー、携帯電話等の通信機器の受話器のの受話口の上部に耳挿入口を設けた耳挿入口付き受話器。
【発明の詳細な説明】
【技術分野】
【０００１】  本発明は、手で持たなくとも使えるハンズフリー受話器に関するものである。
【背景技術】
【０００２】  従来、ハンズフリー受話器は、コード付きイヤホンを接続して使わなければならなかった。
【発明の開示】
【発明が解決しようとする課題】
【０００３】  従来、ハンズフリー受話器は、受話器本体にイヤホンを接続しなければならず、一体になっていなかったため使いにくかった。【０００４】  本発明は、イヤホン、耳挿入口を設け、一体にして使い勝手の良い受話器を実現することを目的とするものである。
【課題を解決するための手段】
【０００５】  受話器の受話口にイヤホン（２）を設ける。【０００６】  受話器の上部に耳挿入口（４）を設ける。
【発明の効果】
【０００７】  受話器とイヤホン、耳挿入口が一体になっているので、すぐに両手が使え、歩きながらでもメモを取ることができる。
【発明の実施するための最良の形態】
【０００８】  以下、本発明を実施するための最良の形態について説明する。
【０００９】  受話器の受話口にイヤホン（２）を設ける。
【００１０】  折りたたんだ時のイヤホン収納部（３）を設ける。
【００１１】  受話器上部に耳挿入口（４）を設ける。
【００１２】  イヤホン、耳挿入口は受話器を確実に耳に固定するためのものだが、確実に固定できれば、イヤホン、耳挿入口どちらか単独でも良い。
【００１３】  本発明は以上のような構造である。
【図面の簡単な説明】
【００１４】
【図１】  本発明の斜視図である。
【符号の説明】
【００１５】  １  受話器
２  イヤホン
３  イヤホン収納部
４  耳挿入口
【図１】
2010088090.tif 000003
(57)【要約】      （修正有）【課題】投釣りなどで、仕掛けを遠投する場合、その飛行方向や距離を視認することは困難を伴い、隣人の糸と絡んだりしてトラブルになることがある。また、夜の釣りでは、投釣りでも船釣りでも、暗闇の中でオモリを寄せると、いきなり眼前にオモリが現れるなど危険であったことから、オモリの位置確認を簡単にできるようにする。【解決手段】釣用オモリに笛４と市販品の発光スティク３を取り付け、釣用オモリの位置が笛４の音や発光スティク３の光により認識し易くした。【選択図】図１
2010207158.tif 000002
【特許請求の範囲】
【請求項１】
釣用オモリに笛と発光体を付けた釣用オモリ。                            
【請求項２】
釣用オモリに発光体を付けた釣用オモリ。
【発明の詳細な説明】
【技術分野】
【０００１】
本発明は、魚釣りに使用する釣用のオモリに関するものである。                    
【背景技術】
【０００２】
従来、釣用オモリはエサの付いた針をポイントまで運ぶのが役目であって、釣用オモリ自体がその位置を示すことはできなかった。
【発明の開示】
【発明が解決しようとする課題】
【０００３】
最近の投釣りは、竿はカーボンなどの素材により反発力が増し、道糸は強くて極細のＰＥラインの出現により、遠投が可能になった。陸上でのトーナメント競技での飛距離は２００ｍを超えていて、飛行中の方向や距離を確認するのには、小型の発炎筒をオモリに付けている。しかし、砂浜や防波堤からの投釣りでは、水中に沈むオモリに発炎筒を付けることはできない。そのため、隣人の糸と絡んだりしてトラブルになることもあった。又、夜の釣りでは、投釣りでも船釣りでも、暗闇の中でオモリを寄せると、いきなり眼前にオモリが現れて危険であった。
【課題を解決するための手段】
【０００４】
本発明は、釣用オモリに笛や発光体を付けた釣用オモリとした。
【発明の効果】
【０００５】
本発明の釣用オモリは、笛の音や発光体の光により、釣用オモリの位置が認識しやくなった。
【発明を実施するための最良の形態】
【０００６】
本発明を実施するための形態について説明する。投釣りに本発明を使用する場合、空が暗いときは、釣用オモリの透明キャップ(２)のスティクホルダー(９)へ、市販品の発光スティク(３)を差込み、その光によって釣用オモリの位置を確認することができる。又、空が明るいときは、透明キャップ(２)を外して使用すると、飛行中の釣用オモリは、集気部(６)で高められた空気圧により、笛(４)のリード(５)を震わせて音を発し、音は導管(７)を経て釣用オモリの外へ出て、釣人へ現在位置を知らせる。本発明は集気部(６)と笛(４)を外せば発光体の付いたオモリとして、船釣り用オモリや撒餌用カゴにも応用することができるし、集魚効果も期待できる。
【図面の簡単な説明】
【０００７】
【図１】本発明のテンビン部分を省略した断面図である。
【図２】本発明を船釣り用オモリへ応用した船釣り用オモリの断面図である。
【符号の説明】
【０００８】
１    鉛
２    透明キャップ
３    発光スティク(市販品)
４    笛
５    笛のリード
６    集気部
７    導管
８    テンビン
９    発光スティクホルダー
【図１】
2010207158.tif 000003
【図２】
2010207158.tif 000004
(57)【要約】【課題】      シンプルな工程で生産できるブルーベリーリキュールを生産する方法を提供する。【解決手段】  ブルーベリーリキュールを生産する方法は、乾燥処理が施されていないブルーベリー果肉３を蒸留酒１に浸漬させてブルーベリーエキスを蒸留酒１に溶解させた状態とする工程と、ブルーベリーエキスが溶解した蒸留酒と浸漬後のブルーベリー果肉とを分離する工程とを含み、浸漬後のブルーベリー果肉とは分離されたブルーベリーエキスが溶解した蒸留酒をもとにしてブルーベリーリキュールを生産する。【選択図】  図１
2010207093.tif 000002
【特許請求の範囲】
【請求項１】
ブルーベリーリキュールを生産する方法であって、
乾燥処理が施されていないブルーベリー果肉を蒸留酒に浸漬させてブルーベリーエキスを前記蒸留酒に溶解させた状態とする工程と、
前記ブルーベリーエキスが溶解した蒸留酒と前記浸漬後のブルーベリー果肉とを分離する工程とを含み、
前記浸漬後のブルーベリー果肉とは分離されたブルーベリーエキスが溶解した蒸留酒をもとにしてブルーベリーリキュールを生産する方法。
【請求項２】
前記ブルーベリー果肉は、冷凍ブルーベリー果肉である、請求項１記載のブルーベリーリキュールを生産する方法。
【請求項３】
前記ブルーベリー果肉を蒸留酒に浸漬させる期間は、複数日の期間とする、請求項１又は２記載のブルーベリーリキュールを生産する方法。
【発明の詳細な説明】
【技術分野】
【０００１】
本発明は、ブルーベリーリキュールを生産する方法に関し、特に蒸留酒によるブルーベリーリキュールを生産する方法に関する。
【背景技術】
【０００２】
近年、健康志向の影響もあって、ブルーベリーリキュールが注目されている。このブルーベリーリキュールの生産は、ブルーベリーエキスを抽出するための前工程処理が行われ、抽出されたブルーベリーエキスと焼酎などの蒸留酒（スピッツ）とが１対５の割合などで混合されて生産されていた。なお、前工程処理としては、例えば特許文献１に記載のように乾燥処理が必要とされていた。
【先行技術文献】
【特許文献】
【０００３】
【特許文献１】特開２００３−１４６９８０号公報
【発明の概要】
【発明が解決しようとする課題】
【０００４】
しかしながら、上記のように前工程処理が必要となると、その処理のための設備等が必要となってしまっていた。
【０００５】
ゆえに、本発明は、ブルーベリーエキス自体の抽出処理を行うことなくシンプルな処理でも美味しく健康的なブルーベリーリキュールを生産する方法を提供することを目的とする。
【課題を解決するための手段】
【０００６】
請求項１に係る発明は、ブルーベリーリキュールを生産する方法であって、乾燥処理が施されていないブルーベリー果肉を蒸留酒に浸漬させてブルーベリーエキスを前記蒸留酒に溶解させた状態とする工程と、前記ブルーベリーエキスが溶解した蒸留酒と前記浸漬後のブルーベリー果肉とを分離する工程とを含み、前記浸漬後のブルーベリー果肉とは分離されたブルーベリーエキスが溶解した蒸留酒をもとにしてブルーベリーリキュールを生産する方法である。
【０００７】
請求項２に係る発明は、請求項１において、前記ブルーベリー果肉が冷凍ブルーベリー果肉であるものである。
【０００８】
請求項３に係る発明は、請求項１又は２において、前記ブルーベリー果肉を蒸留酒に浸漬させる期間が複数日の期間とするものである。
【発明の効果】
【０００９】
本願発明によれば、ブルーベリーエキス自体の抽出処理を行うための乾燥処理と言った前工程処理が不要となり、シンプルな処理とできる。その一方で、ブルーベリーエキスは蒸留酒に溶解しており、美味しく健康的なブルーベリーリキュールの生産が可能になる。特に、冷凍ブルーベリー果肉を用いた場合には冷凍状態から蒸留酒に浸漬して解凍することになりその細胞が分解され易くなっているため、蒸留酒の脱水作用等によりブルーベリーエキスの溶解をスムーズ且つ十分に行わせることができる。また、浸漬期間として、複数日、例えば１ヶ月ほどの期間を確保することにより、ブルーベリーエキスの蒸留酒への溶解を十分なものとできる。このような期間を確保しても、乾燥処理のための設備等の負担に比べれば時間による解決であり、設備・コスト負担の軽減が図られ、美味しく健康的で安価なブルーベリーリキュールをマーケットに提供することができる。
【図面の簡単な説明】
【００１０】
【図１】本願の発明に係る実施の形態のブルーベリーリキュールを生産する方法の工程を示す図である。
【発明を実施するための形態】
【００１１】
図１は本願の発明に係る実施の形態のブルーベリーリキュールを生産する方法の工程を示す図であり、図１を参照して以下にその生産工程を説明する。
【００１２】
まず、焼酎などの蒸留酒（スピッツ）１とともに、乾燥処理などが施されずに冷凍ブルーベリー果肉３を準備する。これらを蒸留酒１が１０に対して冷凍ブルーベリー果肉３が１の割合で、容器５に入れ、蒸留酒１の中に冷凍ブルーベリー果肉３を浸漬させる。この浸漬は、ブルーベリーエキスを蒸留酒１に溶解させるためであり、約１ヶ月程度の十分な期間とすることが好ましい。冷凍ブルーベリー果肉３は、蒸留酒１に浸漬されることで解凍され、その細胞が分解され易くなっており、種々のブルーベリーエキスが蒸留酒１に溶解し易くなっており、ブルーベリーエキスの溶解をスムーズなものとできる効果がある。
【００１３】
なお、ここでは、冷凍果肉を用いたが、果肉としては必ずしも冷凍される必要はなく、採れたブルーベリーをそのまま用いてもよく、また果肉についてもそのままの状態であってもカットして細かくされたものであってもよい。
【００１４】
また、浸漬期間としては、十分な期間として約１ヶ月程度としたが、例えば半月、１０日間、１週間、２〜３日のような複数の日数をかける形であっても構わない。その日数との関係により、また果肉が冷凍か否かとの関係により、蒸留酒と果肉との分量比を決定すればよい。
【００１５】
果肉浸漬工程終了後は、浸漬によりブルーベリーエキスを溶解させた果肉とブルーベリーエキスが溶解された蒸留酒とを分離するため、ろ過工程が行われる。このろ過工程により、ブルーベリーエキス溶解蒸留酒によるブルーベリーリキュールの完成となる。
【００１６】
なお、ブルーベリーリキュールとしてより商品価値を高めるための着色や味の調整のためにブルーベリージュースを加えることは、適宜行われればよいが、上記で得られたブルーベリーエキス溶解蒸留酒はシンプルな工程に得られるものであり、それも健康によいエキスが十分に含まれているものであり、価格面を含めてマーケットニーズに合致したものとできる。
【００１７】
また、蒸留酒としては、アルコール度数等の観点から焼酎が好ましいが、他の蒸留酒であってもよい。
【符号の説明】
【００１８】
１  蒸留酒
３  冷凍ブルーベリー果肉
【図１】
2010207093.tif 000003
(57)【要約】【課題】従来は、草削り鍬と熊手は別々の農具だったので不便だった。それを一つにして、便利なスライド式の熊手を付けた草削り鍬を提供する。【解決手段】草削り鍬本体１の上部に熊手のつめ３を通す穴を複数あけた部分２を設ける。熊手のつめ３をそれぞれこの穴に通し、つめの集まった要の部分と一体化した熊手を前後にスライドさせるための筒４を草削り鍬の柄６に通す。この筒４を前後にスライドさせることによって、草削り鍬と熊手を使い分けができるようにした。【選択図】図３
2010207205.tif 000002
【特許請求の範囲】
【請求項１】
草削り鍬の柄にスライド式の熊手をつけた草削り鍬。
【発明の詳細な説明】
【技術分野】
【０００１】  この発明は、草削り鍬の柄の部分にスライド式の熊手を設けた草削り鍬に関するものである。
【背景技術】
【０００２】  従来、草削り鍬と熊手は別々の農具だった。
【発明の開示】
【発明が解決しようとする課題】
【０００３】  従来は、草削りと削り取った草をかき集める作業を交互に行うとき、草削り鍬と熊手をその都度もちかえなければならない煩わしさがあった。本発明は、この課題を解消するためになされたものである。
【課題を解決するための手段】
【０００４】  草削り鍬の柄にスライド式の熊手を取り付けることにより、草削り鍬と熊手の２つの機能を持たせた。草を削るときは、草削り鍬の柄６に通した、前後にスライドさせるための筒４を手前に引いて、熊手のつめ３を閉じる。また、熊手として使うときは、前後にスライドさせるための筒４を前方に押し出すことによって、熊手は扇状に広がる。このとき、草削り鍬本体１はつめ３の中間にくるので邪魔にならない。このことにより、手元の簡単な操作で２つの農具の使い分けができる。
【発明の効果】
【０００５】  草削り鍬が熊手と一体になっているので、草を削り終わった後熊手が必要になったとき、遠くまで取りに行く必要がない。また、削った草を熊手でかき集めているとき、途中で削り残した草があった場合、手元で簡単に熊手を閉じるだけで残った草を削りとることができる。
【実施例１】
【０００６】  草削り鍬本体１の上部に、熊手のつめ３を通す穴をあけた部分２を設ける。この穴に熊手のつめ３をそれぞれ通す。このつめ３が集まった要の部分は、ストッパー５や前後にスライドさせるための筒４と一体化しており、この筒４を草削り鍬の柄６に通すことで、熊手を前後にスライドさせることができる。本発明は、以上の構造により、一本の農具に２つの農具の機能を持たせたものである。したがって、これを使用するときは、草削り鍬と熊手を必要に応じて簡単に使い分けることができる。
【図面の簡単な説明】
【０００７】
【図１】  本発明の正面図である。
【図２】  熊手の斜視図である。
【図３】  本発明の使用状態を示す斜視図である。
【図４】  本発明の使用状態を示す斜視図である。
【符号の説明】
【０００８】１  草刈り鍬本体
２  つめ（銅鉄線）を通す穴をあけた部分
３  つめ（鋼鉄線）
４  柄に通し、前後にスライドさせるための筒
５  ストッパー
６  柄
【図１】
2010207205.tif 000003
【図２】
2010207205.tif 000004
【図３】
2010207205.tif 000005
【図４】
2010207205.tif 000006
(57)【要約】【課題】安定し、花の茎をいためず、美観を損なわずに水面に浮かべることの出来るフラワーアレンジメント用の花留めを提供する。【解決手段】浮揚体の中心部に貫通孔を設け、その貫通孔の上部に受部を設け、おもり体の中心に貫通孔を設け、おもり体と浮揚体とを接着し、その貫通孔に花留め部とつば部、軸部からなる吸水体を挿入したことを特徴とする水面に浮かせる花留め。【選択図】図１
2010207202.tif 000002
【特許請求の範囲】
【請求項１】
浮揚体（２）の中心部に貫通孔（２ｄ）を設け、その貫通孔（２ｄ）の上部に受部（２ｂ）を設け、おもり体（３）の中心に貫通孔（３ａ）を設け、おもり体（３）と浮揚体（２）を接着して、うき（４）とし、その貫通孔に花留部（１ａ）と、つば部（１ｂ）、軸部（１ｃ）からなる吸水体（１）を挿入したことを特徴とする、水面に浮かせる花留め
【発明の詳細な説明】
【技術分野】
【０００１】  本発明は、花器等の水面に短く切った複数の花を栽培育成し、浮かせて観賞しうる花留めに関するものである。
【背景技術】
【０００２】  従来、花器等の水面に花を浮かせるには浮き輪体の中央に花を挿して浮かせるのがあった。
またくり抜いた浮きの中にゴム等の弾性体をつめて、その弾性体に切れ目を入れたり、境目のすきまに茎を挟み込んだり押し込んだりする方法が知られている。（特許文献１）
【先行技術文献】
【特許文献１】登録実用新案  第３１０９３１１号公報
【発明の概要】
【発明が解決しようとする課題】
【０００３】  そのために、次のような問題があった。
（イ）水面で浮かせて出来るフラワーアレンジメントがない。
（ロ）重心が高くなるため安定してアレンジ出来ない。
（ハ）花の茎をいためる。
（ニ）ガラスの花器等を使う時、茎が透けて見えることにより美観が損なわれる。
本発明は以上の問題点を解決するためになされたものである。
【課題を解決するための手段】
【０００４】  浮揚体の中心部に貫通孔を設け、その貫通孔の上部に受け部を設け、また、おもり体の中心にも貫通孔を設け、浮揚体とおもり体とを接着した物の貫通孔の中に、花留部とつば部、軸部からなる吸水体を挿入したことを特徴とする、花留め
【発明の効果】
【０００５】  本発明により容器の形や大きさを選ばない自由で創造的な複数の花のアレンジメントを安定的に水面で実現することを可能にし、さらに透明の容器にこの花留めを使うことで茎が見えないことによる美観の高いディスプレー効果などが得られる。
また、吸水体につば部を設けたことにより、下に抜け落ちず、花を挿す面積が広くなり、水の吸い上げがよくなり、安定したアレンジメントと栽培が可能となる。
【図面の簡単な説明】
【０００６】
【図１】本発明の分解斜視図
【図２】本発明の断面図
【図３】浮揚体の側面図
【図４】本発明の使用状態を示す斜視図
【発明を実施するための形態】
【０００７】  以下、本発明の第一実施の形態について説明する。
（イ）    浮揚体（２）の中心部に貫通孔（２ｄ）を設ける。
（ロ）    浮揚体（２）の貫通孔（２ｄ）の上部に受部（２ｂ）を設ける。
（ハ）    おもり体（３）の中心に貫通孔（３ａ）を設ける。
（ニ）    浮揚体（２）の底部を接着面（２ｃ）と、おもり体（３）の接着面（３ｂ）を接着し、うき（４）とする。
（ホ）    吸水体（１）にふくらみを有する花留部（１ａ）、吸水体が落下しない為のつば部  （１ｂ）、軸部（１ｃ）を設ける。
（ヘ）    接着された浮揚体（２）とおもり体（３）の貫通孔に吸水体（１）の軸部（１ｃ）を差し込む。
本発明は以上のような構造である。
本発明を使用する時は、吸水体（１）の軸部（１ｃ）を、うき（４）の挿入口から差し込み、つば部（１ｂ）と受部（２ｂ）をあわせる。これを花器（７）に入れた水（６）に浮かべ、本発明の花留部（１ａ）に花（５）を挿していく。この時バランスをとるため、茎の長さは数センチほどを想定している。更に小花が好ましい。また、花留部（１ａ）に花を挿しにくい材質であるときは花留め部（１ａ）にあらかじめ複数の穴を開けておくことが好ましい。
【符号の説明】
【０００８】（１）吸水体、（１ａ）花留部、（１ｂ）つば部、（１ｃ）軸部、（２）浮揚体、（２ａ）挿入口、（２ｂ）受部、（２ｃ）接着面、（２ｄ）貫通孔（３）おもり体、（３ａ）貫通孔、（３ｂ）接着面、（４）うき、（５）花、（６）水、（７）花器
【図１】
2010207202.tif 000003
【図２】
2010207202.tif 000004
【図３】
2010207202.tif 000005
【図４】
2010207202.tif 000006
(57)【要約】      （修正有）【課題】釣り用錘に回転可能な回転円板を取り付け、根がかりから脱出可能な錘を提供する。【解決手段】錘の頭部２に回転円板１を回転可能に、かつ錘の頭部２及び側部から少し突出させて取り付けるので、水中で錘が障害物に引っかかった時、突出している回転円板１の一部が障害物と接触していることから、親糸を強く引っ張る事により、回転円板１が回転して、その場所から移動し引っかかった障害物から脱出することが出来る。回転円板１は３個以上取り付けるが、その個数、大きさ、あるいはその突出量については錘の大きさに合わせて決める。【選択図】図１
2010207206.tif 000002
【特許請求の範囲】
【請求項１】
釣りに使用する錘の頭部に回転可能な円板を取り付ける。釣行時、頻繁に発生する根がかりから脱出すること及び他動物の釣り針による事故からの保護を特徴とする釣り用錘。
【発明の詳細な説明】
【技術分野】
【０００１】  本発明は、釣用錘の先端部に回転円板を取り付け、水中での根がかりからの脱出に関するものです。
【背景技術】
【０００２】  従来、錘先端部には、固定された円錐形の固形物が付いたり、錘本体のみであった。
【発明の開示】
【発明が解決しようとする課題】
【０００３】そのために、次のような問題点があった。
（イ）水中で、錘が岩と岩の間に錘が挟まったり、草やゴミに挟まったりしたときにに容易にそこから脱出出来なかった。
（ロ）錘の先端部に円錐形の固形物が付いたものが多いため、錘全体の体積が大きく、水中での、抵抗が大きくなり、水流の影響を多く受け、流されて窪みや、岩の間に落ちる確率が多く成り、根がかり頻度を増やす原因になっていた。
（ハ）根がかりの発生により、強引にラインを引き結局ラインが切れ、水中に釣り針や錘を残してしまい、他の動物に危害を加えている。
【課題を解決するための手段】
【０００４】  以上の課題を解決するために、本発明は錘頭部に３個以上の回転円板を取り付ける。回転円盤は一部を、障害物に接するように、頭部と側部に少し突出するように、埋め込みます。回転円板の個数、大きさ、突出の量は、錘の大きさに合わせて決める。以上を特徴とする、根がかり脱出用釣錘である。
【発明の効果】
【０００５】  （イ）  魚釣りでは、水中での錘が、岩や障害物に頻繁に引っかかる根がかりを避けられません。その都度錘、仕掛け等水中に糸を切って、放置しなければならないが、本発明はこの根がかりから、容易に脱出でき、仕掛けや錘の浪費をすることが無くなる。
（ロ）  従来の根がかり時には、仕掛け、錘のセットのやり直しに時間を費やし、釣り人にとっては、釣行時間が短くなり、悔いを残す結果になるが、この問題を、一気に解決できる。
（ハ）  従来の根がかり防止用の錘と違い、錘全体の体積が少なく、水中での水流に影響が少なく、流されないですむため、根がかり頻度もそれだけ減少する。
（ニ）  水中に糸や針を放置しなくなり、他の動物にからんで動物の怪我や事故から守る事が出来る。
【発明を実施するための最良の形態】
【０００６】          以下、本発明の実施の形態について説明する。
（イ）  錘の本体（３）の頭部に（２）を設け、先端部に、回転可能な円板（１）を埋め込む。円板の数は錘の大きさにより３〜８個を設ける。
（ロ）  回転円板（１）は、先端及び側面に、図４の様に飛び出ている状態にして取り付ける。
（ハ）  回転円板（１）取り付ける溝は図３の様に砂や泥が溜まらないように、下方に広げてつけておく。
（ニ）  頭部（２）、錘部（３）に、釣り糸を通す穴を設けておく。
（ホ）  錘部（３）の尾部には図１の様に、仕掛け天秤のあそびが出来るように、大きめなルーズな穴にしておく。
【図面の簡単な説明】
【０００７】
【図１】本発明の斜視図
【図２】本発明の図１の、Ａ−Ａ断面
【図３】本発明図２の円板２を取り付ける溝の形状図
【図４】本発明図２の頭部  Ｃ−Ｃ断面図
【符号の説明】
【０００８】      ▲１▼  回転円板
▲２▼  頭部
▲３▼  本体
【図１】
2010207206.tif 000003
【図２】
2010207206.tif 000004
【図３】
2010207206.tif 000005
【図４】
2010207206.tif 000006